(57)【要約】      （修正有）【課題】使用者の意向に応じて、全身用、上半身用又は下半身用として適宜使い分けることが可能な防寒目的の多目的被服を提供する。【解決手段】多目的被服１は、使用者の上半身を被う半纏状に形成した防寒仕様の上衣２と、この上衣２の下端部全体に対してスライドファスナ２０を介して上端部全体を着脱可能に連結する前記上衣２と同素材により形成した折り畳み可能で展開状態で矩形状を呈する防寒仕様の下衣１１とを有し、上衣２、下衣１１の連結状態ではどてらとして、分離状態の上衣２を主に上半身を被う半纏として、分離状態の下衣１１を主に使用者の膝部分を被う膝掛け等の下半身用包囲具として各々利用可能とする構成としたものである。【選択図】図１
0003117141.tif 000002
【実用新案登録請求の範囲】
【請求項１】
使用者の上半身を被う上衣と、
この上衣の下端部全体に対して着脱具を介して上端部全体を着脱可能に連結する前記上衣と同素材により形成した下衣と、
を有し、
前記上衣、下衣の連結状態においては、全身用包囲具として利用可能とし、前記上衣、下衣の分離状態における上衣は主に上半身を被う上半身用包囲具として利用可能とし、前記上衣、下衣の分離状態における下衣は主に下半身を被う下半身用包囲具として利用可能としたことを特徴とする多目的被服。
【請求項２】
使用者の上半身を被う半纏状に形成した上衣と、
この上衣の下端部全体に対して着脱具を介して上端部全体を着脱可能に連結する前記上衣と同素材により形成した折り畳み可能で展開状態で矩形状を呈する下衣と、
を有し、
前記上衣、下衣の連結状態においては、これをどてらとして利用可能とし、前記上衣、下衣の分離状態における上衣は主に上半身を被う半纏として利用可能とし、前記上衣、下衣の分離状態における下衣は主に下半身を被う下半身用包囲具として利用可能としたことを特徴とする多目的被服。
【請求項３】
使用者の上半身を被う半纏状に形成した防寒仕様の上衣と、
この上衣の下端部全体に対してスライドファスナ、面ファスナ又はホック等の着脱具を介して上端部全体を着脱可能に連結する前記上衣と同素材により形成した折り畳み可能で展開状態で矩形状を呈する防寒仕様の下衣と、
を有し、
前記上衣、下衣の連結状態においては、これをどてらとして利用可能とし、前記上衣、下衣の分離状態における上衣は主に上半身を被う半纏として、前記上衣、下衣の分離状態における下衣は主に使用者の膝部分を被う膝掛け又は使用者の腰から下部を被う腰巻き等の下半身用包囲具として各々利用可能としたことを特徴とする多目的被服。
【考案の詳細な説明】
【技術分野】
【０００１】
本考案は、多目的被服に関し、詳しくは、使用者の全身用、上半身用、下半身用として使い分けることが可能な防寒目的の多目的被服に関するものである。
【背景技術】
【０００２】
従来、防寒目的の被服とて、使用者の全身を被うどてら（カイマキ）、主に上半身を被う半纏、主に下半身を被う膝掛け等が各々個別に作成され、個別に使用されており、これら各機能を兼用するような多目的被服は見当たらないのが現状である。
【０００３】
特許文献１には、防寒性を有する上衣部と、リャック部とをファスナ等の着脱手段を用いて着脱可能に連結し、上衣部とリャック部との連結状態では寝袋を形成可能とした多機能上衣が提案されている。
【０００４】
しかし、この特許文献１の多機能上衣の場合、上衣部により上半身の防寒を寝袋により就寝時の防寒を図ることができるものの、どてらのような全身の防寒を図る機能や、膝掛け等のような下半身の防寒を図る機能を備えるものではない。
【特許文献１】特開２００１−２７９５０６号公報
【考案の開示】
【考案が解決しようとする課題】
【０００５】
解決しようとする問題点は、使用者の意向に応じて、全身用、上半身用又は下半身用として適宜使い分けることが可能な防寒目的の多目的被服が存在しない点である。
【課題を解決するための手段】
【０００６】
本考案の多目的被服は、使用者の上半身を被う上衣と、この上衣の下端部全体に対して着脱具を介して上端部全体を着脱可能に連結する前記上衣と同素材により形成した下衣と、を有し、前記上衣、下衣の連結状態では全身用包囲具として、分離状態の上衣を主に上半身を被う上半身用包囲具として、分離状態の下衣を主に下半身を被う下半身用包囲具として各々利用可能としたことを最も主要な特徴とする。
【考案の効果】
【０００７】
本考案によれば、以下の効果を奏する。
請求項１及び２記載の考案によれば、使用者の上半身を被う上衣と、前記上衣と同素材により形成した下衣とを、着脱具を介して着脱可能に連結する構成としているので、上衣、下衣の連結状態では全身用包囲具、例えばどてらとして、分離状態の上衣を主に上半身を被う上半身用包囲具、例えば半纏として、分離状態の下衣を主に下半身を被う下半身用包囲具として各々機能させることができ、各々の場合に優れた防寒機能を発揮させることができる多目的被服を提供することができる。
【０００８】
請求項３記載の考案によれば、着脱具としてスライドファスナ、面ファスナ又はホックを採用した構成で、上衣、下衣の連結状態では全身用包囲具、例えばどてらとして、分離状態の上衣を主に上半身を被う上半身用包囲具、例えば半纏として、分離状態の下衣を主に下半身を被う下半身用包囲具である膝掛け、腰巻き等として各々機能させることができ、各々の場合に優れた防寒機能を発揮させることができる多目的被服を提供することができる。
【考案を実施するための最良の形態】
【０００９】
本考案は、使用者の意向に応じて、全身用、上半身用又は下半身用として適宜使い分けることが可能な防寒目的の多目的被服を提供するという目的を、使用者の上半身を被う半纏状に形成した防寒仕様の上衣と、この上衣の下端部全体に対してスライドファスナ、面ファスナ又はホック等の着脱具を介して上端部全体を着脱可能に連結する前記上衣と同素材により形成した折り畳み可能で展開状態で矩形状を呈する防寒仕様の下衣と、を有し、前記上衣、下衣の連結状態ではどてらとして、分離状態の上衣を主に上半身を被う半纏として、分離状態の下衣を主に使用者の膝部分を被う膝掛け又は使用者の腰から下部を被う腰巻き等の下半身用包囲具として各々利用可能とする構成により実現した。
【実施例】
【００１０】
以下に、本考案の実施例を詳細に説明する。
図１乃至図３は、本実施例に係る多目的被服１を示すものである。
本実施例に係る多目的被服１は、防寒仕様の半纏状に形成した上衣２と、この上衣２の下端部２ａに対して例えば着脱具であるスライドファスナ２０を介して上端部１１ａ全体を着脱可能に連結する前記上衣２と同素材により形成した折り畳み可能であり、展開状態では矩形状となる防寒仕様の下衣１１とを有し、上衣２の上端から下衣１１の下端までの寸法Ｌを例えば２００乃至２２０ｃｍ程度としている。また、上衣２の上端からスライドファスナ２０の取り付け位置までの寸法Ｌ１を９０ｃｍ程度としている。
【００１１】
前記上衣２は、主に上半身を被う半纏として使用するものであり、使用者Ｍの首回りから胴体の腰部分までを被う上衣本体３に両袖部４、４を付けて周知の半纏形状に形成している。
【００１２】
また、上衣本体３及び両袖部４、４は防寒仕様、例えば綿入れ仕様、キルティング仕様により厚手の形態としている。上衣本体３の首回りには、例えば緑色等の生地を用いた首襟部５（クロス斜線を付して示す）を縫製している。更に、両袖部４、４の裾部分には例えば緑色等の生地を用いた袖口部６（クロス斜線を付して示す）を縫製している。
【００１３】
前記上衣本体３を形成する表生地、裏生地は、木綿材、合成繊維綿材等任意の生地を使用することができる。
【００１４】
特に表生地は、図示していないが所望の色や模様付きの生地を用いることができる。
更に、前記首襟部５、袖口部６として使用する生地も上述した場合の他、図示していないが所望の色や模様付きの生地を用いることができる。
【００１５】
本実施例に係る多目的被服１は、前記上衣２の下端部２ａの内側位置と、前記下衣１１の上端部１１ａとにわたって、着脱具であるスライドファスナ２０を縫着している。
【００１６】
すなわち、前記上衣２の下端部２ａの内側には、図４に示すように、この下端部２ａの縁部全体にわたるように上ファスナテープ２１ａを縫着し、下衣１１の上端部１１ａには、この上端部１１ａの縁部全体にわたるように下ファスナテープ２１ｂを縫着し、スライダ２２を上ファスナテープ２１ａ、下ファスナテープ２１ｂに嵌合し、スライダ摘まみ２３を操作することで、上衣２の下端部２ａに下衣１１の上端部１１ａを着脱可能に取り付けるようにしている。
そして、このように上衣２に対して下衣１１を取り付けた状態では、上衣２の下端部２ａを形成する裾部分がスライドファスナ２０を外部から見えないように遮蔽するようにしている。
【００１７】
また、前記スライダ摘まみ２３を上述した場合と逆方向に操作することで、スライドファスナ２０は開状態となり、上衣２と下衣１１とを個別に分離することが可能となっている。
【００１８】
次に、上述した構成からなる本実施例に係る多目的被服１の使用態様について図５乃至図７を参照して説明する。
【００１９】
本実施例に係る多目的被服１によれば、上述したように、前記スライドファスナ２０を介して上衣２と下衣１１とを連結した状態では、図１、図５に示すように全長２００乃至２２０ｃｍ程度の長尺な被服となり、使用者Ｍの首から下の全身をすっぽり被うどてら（カイマキ）として使用することが可能で、優れた防寒機能を発揮させることができる。
【００２０】
また、本実施例に係る多目的被服１によれば、上述したように、前記スライドファスナ２０を開状態とし、図６に示すように、分離した上衣２を使用者Ｍが着用することで、この上衣２を半纏として使用することができ、使用者Ｍの主に首から下の上半身を被う上半身用包囲具として優れた防寒機能を発揮させることができる。
【００２１】
更に、本実施例に係る多目的被服１によれば、上述したように、前記スライドファスナ２０を開状態とし、図７に示すように、分離した下衣１１を適当な大きさに折り畳み、例えば椅子３１に座り机３２に向かってデスクワークを行う使用者Ｍの膝部分に掛けることにより、この下衣１１を下半身用包囲具である膝掛けとして使用でき、下半身用として優れた防寒機能を発揮させることがてきる。
【００２２】
なお、本実施例において、前記着脱具としては、前記スライドファスナ２０の他、図示しない面ファスナ、ホック等、種々の形態の着脱具を採用しても各々前記スライドファスナ２０の場合と同様な機能を発揮させることができる。
【産業上の利用可能性】
【００２３】
本考案に係る多目的被服は、上述した場合の他、例えば分離した下衣を適当な大きさに折り畳み、使用者の腰から下部をすっぽりと被う腰巻きとして機能させたり、上衣と下衣とを連結した状態で掛け布団代わりに使用したり等、幅広く適用可能である。
【図面の簡単な説明】
【００２４】
【図１】本考案の実施例に係る多目的被服の全体を示す斜視図である。
【図２】本実施例に係る多目的被服の上衣と下衣の前側から見た分離状態を示す一部省略斜視図である。
【図３】本実施例に係る多目的被服の上衣を背面側から見た斜視図である。
【図４】本実施例に係る多目的被服の上衣と下衣とを連結するスライドファスナ部分を示す部分斜視図である。
【図５】本実施例に係る多目的被服をどてらとして使用する場合を示す概略斜視図である。
【図６】本実施例に係る多目的被服の上衣を半纏として使用する場合を示す概略斜視図である。
【図７】本実施例に係る多目的被服の下衣を膝掛けとして使用する場合を示す概略側面図である。
【符号の説明】
【００２５】
Ｍ    使用者
１    多目的被服
２    上衣
２ａ  下端部
３    上衣本体
４    袖部
５    首襟部
６    袖口部
１１    下衣
１１ａ  上端部
２０    スライドファスナ
２１ａ  上ファスナテープ
２１ｂ  下ファスナテープ
２２    スライダ
２３    スライダ摘まみ
３１    椅子
３２    机
【図１】
0003117141.tif 000003
【図２】
0003117141.tif 000004
【図３】
0003117141.tif 000005
【図４】
0003117141.tif 000006
【図５】
0003117141.tif 000007
【図６】
0003117141.tif 000008
【図７】
0003117141.tif 000009